【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
走行機体（１）の左右幅方向に沿って上下揺動自在に連結される中空センターフレーム（２）と、該中空センターフレーム（２）の内部に嵌装されて前記走行機体（１）の左右方向にスライド及び固定自在のスライドフレーム（１２）と、該スライドフレーム（１２）の外周に嵌装されて前記走行機体（１）の左右両側にその取付位置を無段階に調節することができる注入刃取付ブラケット（１４）と、からなる土壌注液装置。
【請求項２】
走行機体（１）の左右幅方向に沿って上下揺動自在に連結される中空センターフレーム（２）と、該中空センターフレーム（２）の内部に嵌装されて前記走行機体（１）の左右方向にスライド及び固定自在のスライドフレーム（１２）と、該スライドフレーム（１２）の外周に嵌装されて前記走行機体（１）の左右両側にその取付位置を無段階に調節することができる注入刃取付ブラケット（１４）と、前記中空センターフレーム（２）から後方へ伸びる支持アーム（２３）を介して配設された間隔調整自在な二つの接地転動輪（２１，２１）と、該接地転動輪（２１，２１）によって駆動される薬液ポンプ（２２）と、からなる土壌注液装置。
【請求項３】
前記スライドフレーム（１２）の外周に嵌装されて前記走行機体（１）の左右方向にスライド及び固定自在の薬液タンク搭載ブラケット（１８）を有する請求項１又は２に記載の土壌注液装置。
【手続補正２】
【補正対象書類名】明細書
【補正対象項目名】０００５
【補正方法】変更
【補正の内容】
【０００５】
前記目的達成のため、請求項１に示す本発明の土壌注液装置は、走行機体の左右幅方向にそって上下揺動自在に連結される中空センターフレームと、該中空センターフレームの内部に嵌装されて前記走行機体の左右方向にスライド及び固定自在のスライドフレームと、該スライドフレームの外周に嵌装されて前記左右両側にその取付位置を無段階に調節することができる注入刃取付ブラケットと、を有することを特徴とする。
【手続補正３】
【補正対象書類名】明細書
【補正対象項目名】０００８
【補正方法】変更
【補正の内容】
【０００８】
また、請求項２に示す本発明の土壌注液装置は、走行機体の左右幅方向に沿って上下揺動自在に連結される中空センターフレームと、該中空センターフレームの内部に嵌装されて前記走行機体の左右方向にスライド及び固定自在のスライドフレームと、該スライドフレームの外周に嵌装されて前記走行機体の左右両側にその取付位置を無段階に調節することができる注入刃取付ブラケットと、前記センターフレームから後方へ伸びる支持アームを介して配設された間隔調整自在な二つの接地転動輪と、該接地転動輪によって駆動される薬液ポンプと、を有することを特徴とする。
【手続補正４】
【補正対象書類名】明細書
【補正対象項目名】００１０
【補正方法】変更
【補正の内容】
【００１０】
請求項３に示す本発明実施の一形態の土壌注液装置は、前記スライドフレームの外周に嵌装されて前記走行体の左右方向にスライド及び固定自在の薬液タンク搭載ブラケットを有する請求項１又は２に記載の土壌注液装置である。前記本発明の実施の一形態によれば、例えば、前記薬液タンクを走行機体側に搭載する必要がなく、土壌注液装置が完全一体化され、しかも前記薬液タンク搭載部が前記スライドフレームに対してスライド及び固定自在であるため、前記注入刃取付ブラケットの位置決定の障害になることがない。
【手続補正５】
【補正対象書類名】明細書
【補正対象項目名】００１１
【補正方法】削除
【補正の内容】
【手続補正６】
【補正対象書類名】明細書
【補正対象項目名】００１３
【補正方法】変更
【補正の内容】
【００１３】
まず、前記走行機体１の左右幅方向に沿って上下揺動自在に中空センターフレーム２が連結される。図面実施の一形態では、前記走行機体１に設けられた前記スリーポイント・ヒッチを構成する二本のロアーリンク３と、前記中空センターフレーム２から前方に向けて設けられた左右二本の連結杆４とが、それぞれ枢支軸となるロアーリンク・ピン５によって連結され、前記中空センターフレーム２が、前記連結杆４を介して前記走行機体１に対して上下揺動自在に構成されている。なお、前記中空センターフレーム２は、鋼製の角筒体であることが好ましい。
【手続補正７】
【補正対象書類名】明細書
【補正対象項目名】００１４
【補正方法】変更
【補正の内容】
【００１４】
図中、６は、前記中空センターフレーム２を前記ロアーリンク・ピン５を支点にして必要とする上下揺動位置に保持する保持手段としてのトップリンクであり、前記中空センターフレーム２の上面に起立させたセンター・マスト７の先端部７ａと前記走行機体１との間に、伸縮自在杆として介装されている。
【手続補正８】
【補正対象書類名】明細書
【補正対象項目名】００１５
【補正方法】変更
【補正の内容】
【００１５】
すなわち、前記センター・マスト７の先端部７ａに、雄ねじ杆８の外側端８ａが枢支軸となるトップリンク・ピン９により揺動自在に連結され、前記走行機体１側にも同様に、図示しない雄ねじ杆の外側端が、図示しないトップリンク・ピンにより揺動自在に連結され、前記両雄ねじ杆のそれぞれ内側端に雌ねじ管１０が螺合させられてなる。そして該雌ねじ管１０に設けられたハンドル１１を把持して前記雌ねじ管１０を回転させることにより、前記雄ねじ杆８と雌ねじ管１０の間隔をターンバックル式に伸縮調整して、前記中空センターフレーム２の所望の上下揺動位置を保持する構成となっている。
【手続補正９】
【補正対象書類名】明細書
【補正対象項目名】００１６
【補正方法】変更
【補正の内容】
【００１６】
つぎに、前記中空センターフレーム２の内部に、左右方向スライド及び固定自在に、スライドフレーム１２が左右両端からそれぞれ嵌装される。なお、該スライドフレーム１２は、前記中空センターフレーム２が角筒体の場合には、同様に鋼製角筒体とされる。
【手続補正１０】
【補正対象書類名】明細書
【補正対象項目名】００１７
【補正方法】変更
【補正の内容】
【００１７】
前記中空センターフレーム２に対する前記スライドフレーム１２の左右方向スライド調節は、予め前記中空センターフレーム２の両端近くに螺合したロックボルト１３を緩め、該ロックボルト１３の螺入先端による前記スライドフレーム１２の押圧力を解除して行われる。
【手続補正１１】
【補正対象書類名】明細書
【補正対象項目名】００１８
【補正方法】変更
【補正の内容】
【００１８】
また、前記中空センターフレーム２に対する前記スライドフレーム１２の所望位置への固定は、前記ロックボルト１３を締付け、該ロックボルト１３の螺入先端を、前記スライドフレーム１２に強固に押圧することにより行われる。図中、１３ａは、ロックナットである。
【手続補正１２】
【補正対象書類名】明細書
【補正対象項目名】００２３
【補正方法】変更
【補正の内容】
【００２３】
さらに、前記中空センターフレーム２から後方へ伸びる支持アーム２３を介して間隔調節自在の左右二つの接地転動輪２１，２１と、該接地転動輪２１、２１によって駆動されるダイヤフラム式等の薬液ポンプ２２が設けられる。すなわち、前記中空センターフレーム２の中央部から後方へ延長された前記支持アーム２３を介して、前記薬液ポンプ２２及びポンプ駆動用伝動ボックス２４が設けられ、該ポンプ駆動用伝動ボックス２４の下端部を貫通して前記接地転動輪２１，２１を支持する駆動シャフト２５が設けられている。図中、２６は、前記薬液タンク１７と前記薬液ポンプ２２を結ぶ配管、２７は、前記薬液ポンプ２２と前記注入刃１５に上下二段に配設された図示しない二つの吐出ノズルとを結ぶ配管である。
【手続補正１３】
【補正対象書類名】明細書
【補正対象項目名】００２７
【補正方法】変更
【補正の内容】
【００２７】
図４には、前記中空センターフレーム２にも注入刃取付部３０を設けた例が示されている。この実施の一形態によれば、前記走行機体１のトレッド間に位置する畝部に対する注液が可能であるとともに、畝立て前に畑全体を多条数にて注液を行うことができる。
【手続補正１４】
【補正対象書類名】明細書
【補正対象項目名】００３１
【補正方法】変更
【補正の内容】
【００３１】
１    走行機体
２    中空センターフレーム
１２  スライドフレーム
１４  注入刃取付部ラケット
１８  薬液タンク搭載ブラケット
２１  接地転動輪
２２  薬液ポンプ
２３  支持アーム
３０  注入刃取付部